(57)【要約】【課題】印刷装置の各給紙トレイに関する印刷設定を画面上で行うに際し、この印刷設定を支援して容易にする。【解決手段】プリンタードライバー８では、マルチファンクションプリンター２の各給紙トレイＴ１〜Ｔ５をグラフィック表示し、各給紙トレイのいずれかが選択されると、この選択された給紙トレイの色及びマークを付与した用紙をグラフィック表示している。このため、このグラフィック表示されている用紙の色及びマークを確認することにより、この用紙がいずれの給紙トレイのものかを直ちに知ることができる。また、各用紙の順序や配置位置等の利用形態を表示するので、印刷設定が容易かつ簡単になる。【選択図】図６
2007118374.tif 000002
【特許請求の範囲】
【請求項１】
印刷装置の各給紙トレイに関する印刷設定を画面上で行うための印刷設定装置において、
前記印刷設定を行うために入力操作される入力操作手段と、
前記各給紙トレイにそれぞれの識別情報を割り当て、前記各給紙トレイを画面にグラフィック表示し、前記入力操作手段により前記各給紙トレイのいずれかが画面上で選択されると、この選択された給紙トレイの識別情報を付与した用紙を画面にグラフィック表示する制御手段とを備えることを特徴とする印刷設定装置。
【請求項２】
前記制御手段は、同一の印刷を各給紙トレイの用紙に行うための印刷設定に際し、前記入力操作手段により前記各給紙トレイの用紙の印刷順序が指示されると、この印刷順序で前記各給紙トレイの識別情報を付与したそれぞれの用紙を画面にグラフィック表示することを特徴とする請求項１に記載の印刷設定装置。
【請求項３】
前記制御手段は、給紙トレイの用紙を表表紙もしくは裏表紙に用いるための印刷設定に際し、前記入力操作手段により前記給紙トレイの用紙を表表紙もしくは裏表紙に用いることが指示されると、この給紙トレイの識別情報を付与した用紙が表表紙もしくは裏表紙として用いられている状態を画面にグラフィック表示することを特徴とする請求項１に記載の印刷設定装置。
【請求項４】
前記制御手段は、給紙トレイの用紙を他の各用紙間に挿入するための印刷設定に際し、前記入力操作手段により前記給紙トレイの用紙を該他の各用紙間に挿入することが指示されると、この給紙トレイの識別情報を付与した用紙が該他の各用紙間に挿入されている状態を画面にグラフィック表示することを特徴とする請求項１に記載の印刷設定装置。
【請求項５】
前記給紙トレイの識別情報は、色もしくはマークで表されることを特徴とする請求項１に記載の印刷設定装置。
【請求項６】
前記印刷設定装置は、前記印刷装置外部のプリンタードライバーに付設されていることを特徴とする請求項１に記載の印刷設定装置。
【請求項７】
前記印刷設定装置は、前記印刷装置そのものに付設されていることを特徴とする請求項１に記載の印刷設定装置。
【発明の詳細な説明】
【技術分野】
【０００１】
本発明は、印刷装置の各給紙トレイに関する印刷設定を画面上で行うための印刷設定装置に関する。
【背景技術】
【０００２】
周知の様に印刷装置としては、複数の給紙トレイを備えているものがある。これらの給紙トレイには複数の用紙がそれぞれ収納されており、これらの給紙トレイのいずれかが選択指示されると、この選択された給紙トレイから用紙が引き出されて供給される。これらの給紙トレイを適宜使い分けることにより印刷装置の機能を有効利用することができる。
【０００３】
このため、例えば特許文献１では、複数の給紙トレイに収納された各種の印刷用紙を示す印刷用紙ライブラリが画面に表示され、この印刷用紙ライブラリから所望の印刷用紙がドラッグアンドドロップ操作により選択されると、この選択した印刷用紙がグラフィック表示される様にしている。
【０００４】
また、特許文献２では、給紙トレイの選択用画面が表示され、各給紙トレイに対応付けられたそれぞれのチェックボックスがチェックされると、このチェックされた給紙トレイが選択される様にしている。
【特許文献１】特開２００１−２２５５２５号公報
【特許文献１】特開平７−１７５６０５号公報
【発明の開示】
【発明が解決しようとする課題】
【０００５】
ところで、特許文献１においては、印刷用紙ライブラリの各種の印刷用紙に関するそれぞれの情報を入力設定する必要がある。
【０００６】
しかしながら、各給紙トレイには、通常、同一種類の用紙が収納されるものの、ユーザの都合により給紙トレイに収納される用紙の種類が変更されることがある。この場合は、この変更内容を印刷用紙ライブラリに入力する必要があり、このための入力操作が煩わしい。このため、給紙トレイに収納される用紙の種類の変更を禁止することが考えられるが、この様な規制が印刷装置の使い勝手を悪くする。
【０００７】
また、特許文献２においては、用紙そのものではなく、給紙トレイの選択用画面を表示しているので、ユーザの都合により給紙トレイに収納される用紙の種類が変更されても、この変更内容を入力する必要がなく、給紙トレイの選択により所望の用紙を用いることができる。
【０００８】
ところが、給紙トレイの選択用画面上で各給紙トレイに対応付けられたそれぞれのチェックボックスを確認する必要があり、視認性が悪かった。特に、複数の給紙トレイを同時に選択するときには、これらの給紙トレイの確認に時間を要し、これが給紙トレイを選択するための入力操作を手間取る原因になった。
【０００９】
更に、特許文献１、２のいずれにおいても、複数の給紙トレイの用紙を同時に用いるに際し、これらの用紙の利用形態までを表示するには至らず、このために印刷設定の内容の把握が極めて困難であった。
【００１０】
そこで、本発明は、上記従来の問題に鑑みてなされたものであり、印刷装置の各給紙トレイに関する印刷設定を画面上で行うに際し、この印刷設定を支援して容易にすることが可能な印刷設定装置を提供することを目的とする。
【課題を解決するための手段】
【００１１】
上記課題を解決するために、本発明は、印刷装置の各給紙トレイに関する印刷設定を画面上で行うための印刷設定装置において、前記印刷設定を行うために入力操作される入力操作手段と、前記各給紙トレイにそれぞれの識別情報を割り当て、前記各給紙トレイを画面にグラフィック表示し、前記入力操作手段により前記各給紙トレイのいずれかが画面上で選択されると、この選択された給紙トレイの識別情報を付与した用紙を画面にグラフィック表示する制御手段とを備えている。
【００１２】
この様な本発明によれば、各給紙トレイを画面にグラフィック表示し、各給紙トレイのいずれかが画面上で選択されると、この選択された給紙トレイの識別情報を付与した用紙を画面にグラフィック表示している。このため、このグラフィック表示されている用紙の識別情報を確認することにより、この用紙がいずれの給紙トレイのものかを直ちに知ることができる。また、複数の給紙トレイを選択したときでも、これらの給紙トレイの識別情報を付与したそれぞれの用紙が画面に表示されるので、これらの給紙トレイを直ちに知ることができ、給紙トレイを選択するための入力操作が容易かつ簡単になる。
【００１３】
また、前記制御手段は、同一の印刷を各給紙トレイの用紙に行うための印刷設定に際し、前記入力操作手段により前記各給紙トレイの用紙の印刷順序が指示されると、この印刷順序で前記各給紙トレイの識別情報を付与したそれぞれの用紙を画面にグラフィック表示する。
【００１４】
ここでは、各色の用紙をそれぞれの給紙トレイに収納しておき、同一の印刷を相互に異なるそれぞれの色の用紙に行う（カーボン印刷と称する）ための印刷設定を前提としている。この様な印刷設定に際し、各給紙トレイの用紙の印刷順序で該各給紙トレイの識別情報を付与したそれぞれの用紙を画面にグラフィック表示するので、これらの用紙の利用形態を容易に想定することができ、この印刷設定が容易かつ簡単になる。
【００１５】
更に、前記制御手段は、給紙トレイの用紙を表表紙もしくは裏表紙に用いるための印刷設定に際し、前記入力操作手段により前記給紙トレイの用紙を表表紙もしくは裏表紙に用いることが指示されると、この給紙トレイの識別情報を付与した用紙が表表紙もしくは裏表紙として用いられている状態を画面にグラフィック表示する。
【００１６】
ここでは、給紙トレイの用紙を表表紙もしくは裏表紙に用いるための印刷設定を前提としている。この様な印刷設定に際し、給紙トレイの識別情報を付与した用紙が表表紙もしくは裏表紙として用いられている状態を画面にグラフィック表示するので、これらの用紙の利用形態を容易に想定することができ、この印刷設定が容易かつ簡単になる。
【００１７】
また、前記制御手段は、給紙トレイの用紙を他の各用紙間に挿入するための印刷設定に際し、前記入力操作手段により前記給紙トレイの用紙を該他の各用紙間に挿入することが指示されると、この給紙トレイの識別情報を付与した用紙が該他の各用紙間に挿入されている状態を画面にグラフィック表示する。
【００１８】
ここでは、ＯＨＰ用紙の間に給紙トレイの用紙を挿入するための印刷設定を前提としている。この様な印刷設定に際し、給紙トレイの識別情報を付与した各用紙が各ＯＨＰ用紙間に挿入されている状態を画面にグラフィック表示するので、これらの用紙の利用形態を容易に想定することができ、この印刷設定が容易かつ簡単になる。
【００１９】
前記給紙トレイの識別情報は、例えば色もしくはマークで表されている。色としては、赤、青、黄、ピンク等の視認性が良いものが好ましい。また、マークとしては、一般的に知られたマークが好ましい。
【００２０】
また、前記印刷設定装置は、前記印刷装置外部のプリンタードライバーに付設されている。あるいは、前記印刷設定装置は、前記印刷装置そのものに付設されている。
【００２１】
すなわち、印刷設定装置は、印刷装置外部のプリンタードライバーに内蔵されていたり、印刷装置そのものに内蔵されていたりするのが好ましい。これにより、本発明の印刷設定装置によりなし得る印刷設定と印刷装置外部のプリンタードライバーや印刷装置そのものによりなし得る他の種類の印刷設定との併用が容易になる。
【発明の効果】
【００２２】
この様な本発明の印刷設定装置によれば、グラフィック表示されている用紙の識別情報を確認することにより、この用紙がいずれの給紙トレイのものかを直ちに知ることができる。また、複数の給紙トレイを選択したときでも、これらの給紙トレイの識別情報を付与したそれぞれの用紙が画面に表示されるので、これらの給紙トレイを直ちに知ることができ、給紙トレイを選択するための入力操作が容易かつ簡単になる。更に、各用紙の順序や配置位置等の利用形態が画面に表示されるので、これらの用紙の利用形態を容易に想定することができ、この印刷設定が容易かつ簡単になる。
【発明を実施するための最良の形態】
【００２３】
以下、本発明の実施形態を添付図面を参照しつつ詳細に説明する。
【００２４】
図１は、本発明の印刷設定装置を適用したシステムを示すブロック図である。このシステムは、ホストコンピュータ１とマルチファンクションプリンター２とをＬＡＮ３等を通じて接続したものであり、パーソナルコンピュータ等の他の端末装置（図示せず）もＬＡＮ３に接続されている。ＬＡＮ３等は、有線、無線のいずれであっても構わない。
【００２５】
ホストコンピュータ１は、ＣＰＵ等からなる主制御部４と、表示デバイス、キーボード、及びマウス等からなる操作表示部５と、外部から受信した画像データを編集する画像編集部６と、記憶部７と、プリンタードライバー８とを備えている。プリンタードライバー８は、マルチファンクションプリンター２を制御するためのものであり、プリンター２で行われる印刷に関する印刷設定を行う印刷設定部１１と、印刷設定のために用いられる画面を生成する設定画面生成部１２と、画像データをプリンター２で解釈可能な印刷データに変換する印刷データ生成部１３と、プリンター２との間でデータ通信を行う通信部１４とを備えている。
【００２６】
マルチファンクションプリンター２は、プリンター、複写装置、ファクシミリ装置等の機能を有するものであり、ＣＰＵ等からなる制御部２１と、このプリンター２で行われる印刷に関する印刷設定を行う印刷設定部２２と、印刷設定のために用いられる画面を生成する設定画面生成部２３と、印刷データによって示される文字や画像等を用紙に印刷する出力部２４と、原稿画像を読取るスキャナー部２５と、ホストコンピュータ１のプリンタードライバー８との間でデータ通信を行う通信部２６と、表示デバイス、該表示デバイスの画面に重ねられたタッチパネル、及び各キー等からなる操作表示部２７と、記憶部２８とを備えている。
【００２７】
また、マルチファンクションプリンター２は、複数の給紙トレイ（図示せず）を備えており、これらの給紙トレイにそれぞれの用紙が収納され、これらの給紙トレイからそれぞれの用紙が供給されて印刷に用いられる。
【００２８】
この様な構成のシステムにおいては、ホストコンピュータ１のプリンタードライバー８によりマルチファンクションプリンター２の印刷設定を行うことができ、この印刷設定の内容を印刷データと共にプリンタードライバー８からマルチファンクションプリンター２へと送信して、マルチファンクションプリンター２側で該印刷設定の内容に従って該印刷データを用紙に印刷することができる。
【００２９】
次に、図２及び図３のフローチャート及び図４乃至図１１の画面を参照しつつ、ホストコンピュータ１のプリンタードライバー８によりマルチファンクションプリンター２で行われる印刷に関する印刷設定を行うための処理過程を説明する。尚、図２及び図３における○数字及び○記号は、各ステップ間の連結箇所を示している。
【００３０】
まず、ホストコンピュータ１では、プリンタードライバー８が起動されると（ステップＳ１０１）、プリンタードライバー８の設定画面生成部１２が図４に示す様な印刷設定用の基本設定画面Ａを操作表示部５の表示デバイスに表示する（ステップＳ１０２）。この基本設定画面Ａは、各種の印刷設定を示すそれぞれのアイコンＣ1-1、Ｃ1-2、Ｃ1-3、…を配列表示したものである。操作表示部５のマウスのクリック操作により基本設定画面Ａの各スクロールボタンＳＢ１、ＳＢ２のいずれかが選択指示されたときには、操作表示部５により基本設定画面Ａ上で各アイコンのスクロール表示がなされて、基本設定画面Ａに表示されるアイコンの種類が変更される。
【００３１】
アイコンＣ1-1は、同一の印刷を相互に異なるそれぞれの色の用紙に行う（カーボン印刷と称する）という印刷設定の機能を表している。この機能は、例えば同一内容の納品書をそれぞれの色の用紙に印刷するときに用いられる。アイコンＣ1-2は、ＯＨＰ用紙間に用紙を挿入するための印刷設定の機能を表している。アイコンＣ1-3は、用紙を表表紙もしくは裏表紙に用いるための印刷設定の機能を表している。
【００３２】
尚、基本設定画面Ａに必要な各アイコン等の画像データは、例えば記憶部７に記憶されており、この記憶部７から読み出されて用いられる。
【００３３】
引き続いて、プリンタードライバー８の設定画面生成部１２は、システム上でマルチファンクションプリンター２の各給紙トレイの個数や位置等を示す給紙トレイデータを検索し、この給紙トレイデータを受信して取得し（ステップＳ１０３）、この給紙トレイデータを基本設定画面Ａと共に操作表示部５の表示デバイスに表示する。例えば、マルチファンクションプリンター２から給紙トレイデータを受信したり、システム上のサーバー等の他の端末装置から給紙トレイデータを受信する。そして、図５に示す様な各給紙トレイの個数や位置等を表す給紙トレイ画面Ｂを基本設定画面Ａと共に操作表示部５の表示デバイスに表示する。
【００３４】
この給紙トレイ画面Ｂには、自動給紙用の４つの給紙トレイＴ１、Ｔ２、Ｔ３、Ｔ４と、手動給紙用の手差しトレイＴ５とが表示され、これらのトレイの位置が表示されている。ユーザは、この給紙トレイ画面Ｂを見て、マルチファンクションプリンター２の各給紙トレイの個数や位置等を認識することができる。尚、手差しトレイＴ５も、給紙トレイの１つとする。
【００３５】
また、設定画面生成部１２は、給紙トレイ画面Ｂを表示するに際し、給紙トレイ画面Ｂの各トレイＴ１〜Ｔ５を示すそれぞれの識別情報を生成して、これらの識別情報を給紙トレイ画面Ｂの各トレイＴ１〜Ｔ５に付与する（ステップＳ１０４）。例えば、識別情報として５種類の色と５種類のマークＭ１〜Ｍ５を生成して、給紙トレイ画面Ｂ上で各トレイＴ１〜Ｔ５をそれぞれの色で表し、各トレイＴ１〜Ｔ５にそれぞれのマークＭ１〜Ｍ５を付与する。例えば、色としてはピンク、黄、赤、青、緑、紫等があり、マークＭ１〜Ｍ５としてはハート、ダイヤ、スペード、クラブ、星印等がある。
【００３６】
こうして基本設定画面Ａ及び給紙トレイ画面Ｂが操作表示部５の表示デバイスに表示された状態で、操作表示部５のマウスのクリック操作により各アイコンＣ1-1、Ｃ1-2、Ｃ1-3、…のいずれかを選択すると、この選択されたアイコンの印刷設定を行うための画面が表示デバイスに表示され、この画面上で印刷設定を行うことができる。
【００３７】
例えば、操作表示部５のマウスのクリック操作によりカーボン印刷の印刷設定を示すアイコンＣ1-1が選択されると（ステップＳ１０５で「Ｙｅｓ」）、設定画面生成部１２は、アイコンＣ1-1が選択された旨を操作表示部５から受け取り、給紙トレイ画面Ｂの代わりに、図６（ａ）に示す様なカーボン印刷の印刷設定画面Ｃを操作表示部５の表示デバイスに表示する（ステップＳ１０６）。このとき、印刷設定画面Ｃでは、デフォルト表示がなされており、給紙トレイＴ１のチェックボックスｃｂ１がチェックされ、給紙トレイＴ１から供給される用紙Ｐ１が表示され、この用紙Ｐ１に給紙トレイＴ１の色とマークＭ１が付与されている。
【００３８】
尚、印刷設定画面Ｃに必要な画像データは、例えば記憶部７に記憶されており、この記憶部７から読み出されて用いられる。
【００３９】
そして、設定画面生成部１２は、用紙枚数Ｉを１に初期設定してから（ステップＳ１０７）、給紙トレイが選択されるのを待機する（ステップＳ１０８）。例えば、操作表示部５のマウスのクリック操作により印刷設定画面Ｃの給紙トレイＴ２のチェックボックスｃｂ２がチェックされ、更に確定ボタンＳＢ３が選択指示されると、設定画面生成部１２は、このチェック内容と確定ボタンＳＢ３が選択指示された旨を操作表示部５から受け取り、１つ目の給紙トレイが選択されたものと判定し（ステップＳ１０８で「Ｙｅｓ」）、この受け取った内容を印刷設定画面Ｃに反映させて、この印刷設定画面Ｃを図６（ｂ）に示す様に更新する（ステップＳ１０９）。この図６（ｂ）の印刷設定画面Ｃでは、１つ目の給紙トレイＴ２のチェックボックスｃｂ２がチェックされたことから、給紙トレイＴ２から供給される用紙Ｐ２が表示され、この用紙Ｐ２に給紙トレイＴ２の色とマークＭ２が付与される。また、選択された給紙トレイＴ２の部位がグレイアウト表示される。この後、設定画面生成部１２は、用紙枚数Ｉを歩進して２に設定してから（ステップＳ１１０）、ステップＳ１０８に戻る。
【００４０】
引き続いて、操作表示部５のマウスのクリック操作により印刷設定画面Ｃの給紙トレイＴ３のチェックボックスｃｂ３がチェックされ、更に確定ボタンＳＢ３が選択指示されると、設定画面生成部１２は、このチェック内容と確定ボタンＳＢ３が選択指示された旨を操作表示部５から受け取り、２つ目の給紙トレイが選択されたものと判定し（ステップＳ１０８で「Ｙｅｓ」）、この受け取った内容を印刷設定画面Ｃに反映させて、印刷設定画面Ｃを図７（ａ）に示す様に更新する（ステップＳ１０９）。この図７（ａ）の印刷設定画面Ｃでは、２つ目の給紙トレイＴ３のチェックボックスｃｂ３がチェックされたことから、給紙トレイＴ３から供給される用紙Ｐ３が用紙Ｐ２の下に重ねられて表示され、この用紙Ｐ３に給紙トレイＴ３の色とマークＭ３が付与される。また、選択された給紙トレイＴ３の部位がグレイアウト表示される。この後、用紙枚数Ｉを歩進してから（ステップＳ１１０）、ステップＳ１０８に戻る。
【００４１】
更に、操作表示部５のマウスのクリック操作により印刷設定画面Ｃの給紙トレイＴ４のチェックボックスｃｂ４がチェックされ、更に確定ボタンＳＢ３が選択指示されると、設定画面生成部１２は、このチェック内容と確定ボタンＳＢ３が選択指示された旨を操作表示部５から受け取り、３つ目の給紙トレイが選択されたものと判定し（ステップＳ１０８で「Ｙｅｓ」）、この受け取った内容を印刷設定画面Ｃに反映させて、印刷設定画面Ｃを図７（ｂ）に示す様に更新する（ステップＳ１０９）。この図７（ｂ）の印刷設定画面Ｃでは、給紙トレイＴ４から供給される用紙Ｐ４が用紙Ｐ２、３の下に重ねられて表示され、この用紙Ｐ４に給紙トレイＴ４の色とマークＭ４が付与される。また、選択された給紙トレイＴ４の部位がグレイアウト表示される。この後、用紙枚数Ｉを歩進してから（ステップＳ１１０）、ステップＳ１０８に戻る。
【００４２】
以降同様に、操作表示部５のマウスのクリック操作により印刷設定画面Ｃの給紙トレイのチェックボックスがチェックされ、更に確定ボタンＳＢ３が選択指示されると、印刷設定画面Ｃ上で該給紙トレイから供給される用紙が順次下に重ねられて表示され、この用紙に該給紙トレイの色とマークが付与される。
【００４３】
従って、カーボン印刷の印刷設定画面Ｃにおける各用紙の色やマークを見れば、該各用紙を供給するそれぞれの給紙トレイを直ちに確認することができ、これらの用紙の印刷順序を容易に想定することができ、このカーボン印刷の設定を容易に行うことができる。
【００４４】
こうしてカーボン印刷の印刷設定が終了したならば、操作表示部５のマウスのクリック操作によりＯＫボタンＳＢ４が選択指示される。設定画面生成部１２は、ＯＫボタンＳＢ４が選択指示された旨を操作表示部５から受け取ると、給紙トレイの選択が終了し（ステップＳ１０８で「Ｎｏ」）、カーボン印刷の設定が終了したものと判定し（ステップＳ１１１で「Ｙｅｓ」）、印刷設定画面Ｃでの印刷設定の内容、すなわち各用紙を供給するそれぞれの給紙トレイと該各用紙の給紙順序を印刷設定部１１に送出する。印刷設定部１１は、このカーボン印刷の印刷設定の内容を受け取って設定する（ステップＳ１１２）。
【００４５】
この後、設定画面生成部１２は、印刷設定画面Ｃを閉じて、基本設定画面Ａ及び給紙トレイ画面Ｂの表示に戻る（ステップＳ１１３）。
【００４６】
尚、カーボン印刷に用いられる給紙トレイの用紙を選択の途中で、操作表示部５のマウスのクリック操作によりキャンセルボタンＳＢ５が選択指示されたならば（ステップＳ１１１で「Ｎｏ」、ステップＳ１１４で「Ｙｅｓ」）、印刷設定画面Ｃ上で設定された内容が全て消去されて、基本設定画面Ａ及び給紙トレイ画面Ｂの表示に戻る（ステップＳ１１３）。また、操作表示部５のマウスのクリック操作により戻りボタンＳＢ６が選択指示されたならば、１つ前の処理に戻る。
【００４７】
次に、基本設定画面Ａ上で、アイコンＣ1-1が選択されず（ステップＳ１０５で「Ｎｏ」）、操作表示部５のマウスのクリック操作により表表紙もしくは裏表紙の印刷設定を示すアイコンＣ1-3が選択されると（ステップＳ１１５で「Ｙｅｓ」）、設定画面生成部１２は、アイコンＣ1-3が選択された旨を操作表示部５から受け取り、給紙トレイ画面Ｂの代わりに、図８（ａ）に示す様な表表紙もしくは裏表紙を設定するための印刷設定画面Ｄを操作表示部５の表示デバイスに表示する（ステップＳ１１６）。
【００４８】
この印刷設定画面Ｄでは、表表紙のチェックボックスｃｂ１１、裏表紙のチェックボックスｃｂ１２、及び用紙群Ｐｎが明確に表示されて、各給紙トレイや手差しトレイ等がグレイアウト表示されており、以降の処理段階で各給紙トレイや手差しトレイ等を順次明確に表示される。
【００４９】
尚、印刷設定画面Ｄに必要な画像データは、例えば記憶部７に記憶されており、この記憶部７から読み出されて用いられる。
【００５０】
設定画面生成部１２は、図８（ａ）の印刷設定画面Ｄを表示デバイスに表示にした後、表表紙もしくは裏表紙が選択されるのを待機する。例えば、操作表示部５のマウスのクリック操作により印刷設定画面Ｄの表表紙のチェックボックスｃｂ１１がチェックされ、更に給紙トレイＴ３のチェックボックスｃｂ３がチェックされると、設定画面生成部１２は、このチェック内容が選択指示された旨を操作表示部５から受け取り、表表紙及び給紙トレイＴ３が選択されたものと判定し（ステップＳ１１７で「Ｙｅｓ」、ステップＳ１１８）、この受け取った内容を印刷設定画面Ｄに反映させて、印刷設定画面Ｄを図８（ｂ）に示す様に更新する（ステップＳ１１９）。この図８（ｂ）の印刷設定画面Ｄでは、表表紙のチェックボックスｃｂ１１がチェックされ、給紙トレイＴ３のチェックボックスｃｂ３がチェックされたことから、給紙トレイＴ３から供給される用紙Ｐ３が用紙群Ｐｎの表表紙として表示され、用紙Ｐ３に給紙トレイＴ３の色とマークＭ３が付与される。
【００５１】
また、操作表示部５のマウスのクリック操作により印刷設定画面Ｄの裏表紙のチェックボックスｃｂ１２がチェックされ、更に給紙トレイＴ４のチェックボックスｃｂ４がチェックされると、設定画面生成部１２は、このチェック内容が選択指示された旨を操作表示部５から受け取り、裏表紙及び給紙トレイＴ４が選択されたものと判定し（ステップＳ１２０で「Ｙｅｓ」、ステップＳ１２１）、この受け取った内容を印刷設定画面Ｄに反映させて、印刷設定画面Ｄを図９に示す様に更新する（ステップＳ１２２）。この図９の印刷設定画面Ｄでは、裏表紙のチェックボックスｃｂ１２がチェックされ、給紙トレイＴ４のチェックボックスｃｂ４がチェックされたことから、給紙トレイＴ４から供給される用紙Ｐ４が用紙群Ｐｎの裏表紙として表示され、この用紙Ｐ４に給紙トレイＴ４の色とマークＭ４が付与される。
【００５２】
従って、表表紙もしくは裏表紙の印刷設定画面Ｄにおける各用紙の色やマークを見れば、該各用紙を供給するそれぞれの給紙トレイを直ちに確認することができ、これらの用紙の利用形態を容易に想定することができ、この印刷設定を容易に行うことができる。
【００５３】
こうして表表紙もしくは裏表紙の印刷設定が終了したならば、操作表示部５のマウスのクリック操作により印刷設定画面ＤのＯＫボタンＳＢ４が選択指示される。このとき、設定画面生成部１２は、ＯＫボタンＳＢ４が選択指示された旨を操作表示部５から受け取り、表表紙もしくは裏表紙の印刷設定が終了したものと判定し（ステップＳ１２３で「Ｙｅｓ」）、印刷設定画面Ｄでの印刷設定の内容、すなわち表表紙もしくは裏表紙となる用紙を供給する少なくとも１つの給紙トレイと該用紙の給紙順序を印刷設定部１１に送出する。印刷設定部１１は、この表表紙もしくは裏表紙の印刷設定の内容を受け取って設定する（ステップＳ１２４）。
【００５４】
この後、設定画面生成部１２は、印刷設定画面Ｄを閉じて、基本設定画面Ａ及び給紙トレイ画面Ｂの表示に戻る（ステップＳ１２５）。
【００５５】
尚、表表紙もしくは裏表紙として用いられる給紙トレイの用紙の選択の後で、操作表示部５のマウスのクリック操作により印刷設定画面ＤのキャンセルボタンＳＢ５が選択指示されたならば（ステップＳ１２３で「Ｎｏ」、ステップＳ１２６で「Ｙｅｓ」）、印刷設定画面Ｄ上で設定された内容が全て消去されて、基本設定画面Ａ及び給紙トレイ画面Ｂの表示に戻る（ステップＳ１２５）。
【００５６】
次に、基本設定画面Ａ上で、各アイコンＣ1-1、Ｃ1-3のいずれも選択されず（ステップＳ１０５で「Ｎｏ」、ステップＳ１１５で「Ｎｏ」）、操作表示部５のマウスのクリック操作によりＯＨＰ用紙間への用紙挿入の印刷設定を示すアイコンＣ1-2が選択されると（ステップＳ１２７で「Ｙｅｓ」）、設定画面生成部１２は、アイコンＣ1-2の選択を操作表示部５から受け取り、給紙トレイ画面Ｂの代わりに、図１０（ａ）に示す様なＯＨＰ用紙間への用紙挿入を設定するための印刷設定画面Ｅを操作表示部５の表示デバイスに表示する（ステップＳ１２８）。
【００５７】
尚、印刷設定画面Ｅに必要な画像データは、例えば記憶部７に記憶されており、この記憶部７から読み出されて用いられる。
【００５８】
そして、設定画面生成部１２は、ＯＨＰ用紙間へ挿入される用紙の給紙カセットが選択されるのを待機する。例えば、操作表示部５のマウスのクリック操作により印刷設定画面Ｅの合い紙を挿入するというチェックボックスｃｂ２１がチェックされ、更に給紙トレイＴ３のチェックボックスｃｂ３がチェックされると、設定画面生成部１２は、このチェック内容が選択指示された旨を操作表示部５から受け取り、給紙トレイＴ３が選択されたことを判定し（ステップＳ１２９）この受け取った内容を印刷設定画面Ｅに反映させて、印刷設定画面Ｅを図１０（ｂ）に示す様に更新する（ステップＳ１３０）。この図１０（ｂ）の印刷設定画面Ｅでは、給紙トレイＴ３のチェックボックスｃｂ３がチェックされたことから、給紙トレイＴ３から供給される用紙Ｐ３が各ＯＨＰ用紙Ｐｈに挿入された状態が表示され、用紙Ｐ３に給紙トレイＴ３の色とマークＭ３が付与される。
【００５９】
更に、操作表示部５のマウスのクリック操作により印刷設定画面Ｅの合い紙（ＯＨＰ用紙間に挿入される用紙）にも印刷というチェックボックスｃｂ２２がチェックされると、設定画面生成部１２は、このチェック内容が選択指示された旨を操作表示部５から受け取り、合い紙の印刷が選択されたことを判定し、印刷設定画面Ｅを図１１に示す様に更新する。
【００６０】
従って、ＯＨＰ用紙間への用紙挿入の印刷設定画面Ｅにおける用紙の色やマークを見れば、該用紙を供給する給紙トレイを直ちに確認することができ、この用紙の利用形態を容易に想定することができ、この印刷設定を容易に行うことができる。
【００６１】
こうしてＯＨＰ用紙間への用紙挿入の印刷設定が終了したならば、操作表示部５のマウスのクリック操作により印刷設定画面ＤのＯＫボタンＳＢ４が選択指示される。このとき、設定画面生成部１２は、ＯＫボタンＳＢ４が選択指示された旨を操作表示部５から受け取り、この印刷設定が終了したものと判定し（ステップＳ１３１で「Ｙｅｓ」）、印刷設定画面Ｅでの印刷設定の内容、すなわちＯＨＰ用紙間へ挿入される用紙を供給する給紙トレイと該用紙の給紙順序を印刷設定部１１に送出する。印刷設定部１１は、この印刷設定の内容を受け取って設定する（ステップＳ１３２）。
【００６２】
この後、設定画面生成部１２は、印刷設定画面Ｅを閉じて、基本設定画面Ａ及び給紙トレイ画面Ｂの表示に戻る（ステップＳ１３３）。
【００６３】
尚、表表紙もしくは裏表紙として用いられる給紙トレイの用紙の選択の後で、操作表示部５のマウスのクリック操作により印刷設定画面ＤのキャンセルボタンＳＢ５が選択指示されたならば（ステップＳ１３１で「Ｎｏ」、ステップＳ１３４で「Ｙｅｓ」）、印刷設定画面Ｅ上で設定された内容が全て消去されて、基本設定画面Ａ及び給紙トレイ画面Ｂの表示に戻る（ステップＳ１３３）。
【００６４】
次に、基本設定画面Ａ上で、各アイコンＣ1-1、Ｃ1-2、Ｃ1-3のいずれも選択されず（ステップＳ１０５で「Ｎｏ」、ステップＳ１１５で「Ｎｏ」、ステップＳ１２７で「Ｎｏ」）、操作表示部５のマウスのクリック操作により他のアイコンが選択されると、設定画面生成部１２は、この他のアイコンの選択の旨を操作表示部５から受け取り、他のアイコンに対応する印刷設定画面を操作表示部５の表示デバイスに表示する。この印刷設定画面上では、操作表示部５のマウスのクリック操作により機能の選択がなされる（ステップＳ１３５）。
【００６５】
同様に、他の各アイコンを順次選択して、該他の各アイコンに対応する印刷設定を逐次行うことができる。
【００６６】
この後、操作表示部５のマウスのクリック操作により印刷設定画面のＯＫボタンが選択指示されると、設定画面生成部１２は、ＯＫボタンが選択指示された旨を操作表示部５から受け取り、この印刷設定が終了したものと判定し（ステップＳ１３６で「Ｙｅｓ」）、この印刷設定の内容を印刷設定部１１に送出する。印刷設定部１１は、この印刷設定の内容を受け取ると、この印刷設定の内容を設定する。
【００６７】
そして、設定画面生成部１２は、この印刷設定画面を閉じて、基本設定画面Ａも閉じる。また、印刷設定部１１は、これまでの全ての印刷設定の内容を通信部１４を介してマルチファンクションプリンター２へと送信する。同時に、印刷データ生成部１３は、印刷データを通信部１４を介してマルチファンクションプリンター２へと送信する（ステップＳ１３７）。
【００６８】
マルチファンクションプリンター２では、ホストコンピュータ１からの全ての印刷設定の内容と印刷データを通信部２６を通じて受信し、全ての印刷設定の内容に従って印刷処理を行って、出力部２４で印刷データによって示される文字や画像を用紙に印刷する。
【００６９】
尚、全ての印刷設定の後で、操作表示部５のマウスのクリック操作によりキャンセルボタンが選択指示されたならば（ステップＳ１３６で「Ｎｏ」、ステップＳ１３８で「Ｙｅｓ」）、これまでの全ての印刷設定の内容が消去されて、基本設定画面Ａも閉じられる（ステップＳ１３９）。
【００７０】
この様にプリンタードライバー８では、マルチファンクションプリンター２の各給紙トレイＴ１〜Ｔ５をグラフィック表示し、各給紙トレイのいずれかが選択されると、この選択された給紙トレイの色及びマークを付与した用紙をグラフィック表示している。このため、このグラフィック表示されている用紙の色及びマークを確認することにより、この用紙がいずれの給紙トレイのものかを直ちに知ることができる。また、複数の給紙トレイを選択したときでも、これらの給紙トレイの色及びマークを付与したそれぞれの用紙が画面に表示されるので、これらの給紙トレイを直ちに知ることができ、給紙トレイを選択するための入力操作が容易かつ簡単になる。更に、印刷設定毎に、各用紙の順序や配置位置等の利用形態を表示するので、印刷設定が容易かつ簡単になる。
【００７１】
ところで、マルチファンクションプリンター２は、ホストコンピュータ１のプリンタードライバー８と同様に印刷設定部２２、設定画面生成部２３、及び通信部２６を備え、プリンタードライバー８と同様の印刷設定を行うことができる。
【００７２】
図１２及び図１３のフローチャートは、マルチファンクションプリンター２での印刷設定を行うための処理過程を示している。図１２及び図１３の処理過程は、プリンタードライバー８による図１及び図２の処理過程と実質的に同様であるため、その概略を説明する。
【００７３】
まず、マルチファンクションプリンター２の設定画面生成部２３は、図４に示す様な印刷設定用の基本設定画面Ａを操作表示部２７の表示デバイスに表示する（ステップＳ２０２）。
【００７４】
また、設定画面生成部２３は、マルチファンクションプリンター２の各給紙トレイの個数や位置及び各種機能等を示す給紙トレイデータを当該プリンター２より取得し（ステップＳ２０３）、この給紙トレイデータを基本設定画面Ａと共に操作表示部２７の表示デバイスに表示する。例えば、図１４に示す様な画面Ｂ１を基本設定画面Ａと共に操作表示部２７の表示デバイスに表示する。
【００７５】
この画面Ｂ１には、自動給紙用の４つの給紙トレイＴ１、Ｔ２、Ｔ３、Ｔ４と、手動給紙用の手差しトレイＴ５とが表示され、これらのトレイの位置が表示されている。
【００７６】
また、設定画面生成部２３は、画面Ｂ１を表示するに際し、画面Ｂ１上の各トレイＴ１〜Ｔ５を示すそれぞれの識別情報を生成して、これらの識別情報を画面Ｂ１上の各トレイＴ１〜Ｔ５に付与する（ステップＳ２０４）。例えば、識別情報として５種類の色と５種類のマークＭ１〜Ｍ５を生成して、画面Ｂ１上で各トレイＴ１〜Ｔ５をそれぞれの色で表し、各トレイＴ１〜Ｔ５にそれぞれのマークＭ１〜Ｍ５を付与する。
【００７７】
こうして基本設定画面Ａ及び画面Ｂ１が操作表示部２７の表示デバイスに表示された状態で、例えば、操作表示部２７の操作によりカーボン印刷の印刷設定を示すアイコンＣ1-1が選択されると（ステップＳ２０５で「Ｙｅｓ」）、設定画面生成部２３は、画面Ｂ１の代わりに、図６（ａ）に示す様なカーボン印刷の印刷設定画面Ｃを操作表示部２７の表示デバイスに表示する（ステップＳ２０６）。
【００７８】
そして、設定画面生成部２３は、用紙枚数Ｉを１に初期設定してから（ステップＳ２０７）、給紙トレイが選択されるのを待機する（ステップＳ２０８）。例えば、操作表示部２７の操作により印刷設定画面Ｃの給紙トレイＴ２のチェックボックスｃｂ２がチェックされ、更に確定ボタンＳＢ３が選択指示されると、設定画面生成部２３は、１つ目の給紙トレイが選択されたものと判定し（ステップＳ２０８で「Ｙｅｓ」）、印刷設定画面Ｃを図６（ｂ）に示す様に更新する（ステップＳ２０９）。この後、設定画面生成部２３は、用紙枚数Ｉを歩進して２に設定してから（ステップＳ２１０）、ステップＳ２０８に戻る。
【００７９】
以降同様に、操作表示部２７の操作により印刷設定画面Ｃの給紙トレイのチェックボックスがチェックされ、更に確定ボタンＳＢ３が選択指示されると、印刷設定画面Ｃ上で該給紙トレイから供給される用紙が順次下に重ねられて表示され、この用紙に該給紙トレイの色とマークが付与される。
【００８０】
従って、カーボン印刷の印刷設定画面Ｃにおける各用紙の色やマークを見れば、これらの用紙の印刷順序を容易に想定することができ、このカーボン印刷の設定を容易に行うことができる。
【００８１】
こうしてカーボン印刷の印刷設定が終了したならば、操作表示部２７の操作によりＯＫボタンＳＢ４が選択指示される。このとき、設定画面生成部２３は、給紙トレイの選択が終了し（ステップＳ２０８で「Ｎｏ」）、カーボン印刷の設定が終了したものと判定し（ステップＳ２１１で「Ｙｅｓ」）、印刷設定画面Ｃでの印刷設定の内容、すなわち各用紙を供給するそれぞれの給紙トレイと該各用紙の給紙順序を印刷設定部２２に送出する。印刷設定部２２は、このカーボン印刷の印刷設定の内容を受け取って設定する（ステップＳ２１２）。
【００８２】
この後、設定画面生成部２３は、印刷設定画面Ｃを閉じて、基本設定画面Ａ及び画面Ｂ１の表示に戻る（ステップＳ２１３）。
【００８３】
尚、操作表示部２７の操作によりキャンセルボタンＳＢ５が選択指示されたならば（ステップＳ２１１で「Ｎｏ」、ステップＳ２１４で「Ｙｅｓ」）、印刷設定画面Ｃ上で設定された内容が全て消去されて、基本設定画面Ａ及び画面Ｂ１の表示に戻る（ステップＳ２１３）。
【００８４】
次に、基本設定画面Ａ上で、操作表示部２７の操作により表表紙もしくは裏表紙の印刷設定を示すアイコンＣ1-3が選択されると（ステップＳ２１５で「Ｙｅｓ」）、設定画面生成部２３は、アイコンＣ1-3が選択された旨を操作表示部２７から受け取り、給紙トレイ画面Ｂの代わりに、図８（ａ）に示す様な表表紙もしくは裏表紙を設定するための印刷設定画面Ｄを操作表示部２７の表示デバイスに表示する（ステップＳ２１６）。
【００８５】
そして、操作表示部２７の操作により印刷設定画面Ｄの表表紙のチェックボックスｃｂ１１がチェックされ、給紙トレイＴ３のチェックボックスｃｂ３がチェックされると、設定画面生成部２３は、表表紙及び給紙トレイＴ３が選択されたものと判定し（ステップＳ２１７で「Ｙｅｓ」、ステップＳ２１８）、印刷設定画面Ｄを図８（ｂ）に示す様に更新する（ステップＳ２１９）。
【００８６】
また、操作表示部２７の操作により印刷設定画面Ｄの裏表紙のチェックボックスｃｂ１２がチェックされ、給紙トレイＴ４のチェックボックスｃｂ４がチェックされると、設定画面生成部２３は、裏表紙及び給紙トレイＴ４が選択されたものと判定し（ステップＳ２２０で「Ｙｅｓ」、ステップＳ２２１）、印刷設定画面Ｄを図９に示す様に更新する（ステップＳ２２２）。
【００８７】
従って、表表紙もしくは裏表紙の印刷設定画面Ｄにおける各用紙の色やマークを見れば、これらの用紙の利用形態を容易に想定することができ、この印刷設定を容易に行うことができる。
【００８８】
こうして表表紙もしくは裏表紙の印刷設定が終了したならば、操作表示部２７の操作により印刷設定画面ＤのＯＫボタンＳＢ４が選択指示される。このとき、設定画面生成部２３は、表表紙もしくは裏表紙の印刷設定が終了したものと判定し（ステップＳ２２３で「Ｙｅｓ」）、印刷設定画面Ｄでの印刷設定の内容、すなわち表表紙もしくは裏表紙となる用紙を供給する少なくとも１つの給紙トレイと該用紙の給紙順序を印刷設定部２２に送出する。印刷設定部２２は、この表表紙もしくは裏表紙の印刷設定の内容を受け取って設定する（ステップＳ２２４）。
【００８９】
この後、設定画面生成部２３は、印刷設定画面Ｄを閉じて、基本設定画面Ａ及び画面Ｂ１の表示に戻る（ステップＳ２２５）。
【００９０】
尚、操作表示部２７の操作により印刷設定画面ＤのキャンセルボタンＳＢ５が選択指示されたならば（ステップＳ２２３で「Ｎｏ」、ステップＳ２２６で「Ｙｅｓ」）、印刷設定画面Ｄ上で設定された内容が全て消去されて、基本設定画面Ａ及び画面Ｂ１の表示に戻る（ステップＳ２２５）。
【００９１】
次に、基本設定画面Ａ上で、操作表示部２７の操作によりＯＨＰ用紙間への用紙挿入の印刷設定を示すアイコンＣ1-2が選択されると（ステップＳ２２７で「Ｙｅｓ」）、設定画面生成部２３は、アイコンＣ1-2の選択を操作表示部２７から受け取り、給紙トレイ画面Ｂの代わりに、図１０（ａ）に示す様なＯＨＰ用紙間への用紙挿入を設定するための印刷設定画面Ｅを操作表示部２７の表示デバイスに表示する（ステップＳ２２８）。
【００９２】
そして、操作表示部２７の操作により印刷設定画面Ｅの給紙トレイＴ３のチェックボックスｃｂ３がチェックされると、設定画面生成部２３は、給紙トレイＴ３が選択されたことを判定し（ステップＳ２２９）、印刷設定画面Ｅを図１０（ｂ）に示す様に更新する（ステップＳ２３０）。
【００９３】
更に、操作表示部２７の操作により印刷設定画面Ｅの合い紙（ＯＨＰ用紙間に挿入される用紙）にも印刷というチェックボックスｃｂ２１がチェックされると、設定画面生成部２３は、合い紙の印刷が選択されたことを判定し、印刷設定画面Ｅを図１１に示す様に更新する。
【００９４】
従って、ＯＨＰ用紙間への用紙挿入の印刷設定画面Ｅにおける用紙の色やマークを見れば、この用紙の利用形態を容易に想定することができ、この印刷設定を容易に行うことができる。
【００９５】
こうしてＯＨＰ用紙間への用紙挿入の印刷設定が終了したならば、操作表示部２７の操作により印刷設定画面ＤのＯＫボタンＳＢ４が選択指示される。このとき、設定画面生成部２３は、この印刷設定が終了したものと判定し（ステップＳ２３１で「Ｙｅｓ」）、印刷設定画面Ｅでの印刷設定の内容、すなわちＯＨＰ用紙間へ挿入される用紙を供給する給紙トレイと該用紙の給紙順序を印刷設定部２２に送出する。印刷設定部２２は、この印刷設定の内容を受け取って設定する（ステップＳ２３２）。
【００９６】
この後、設定画面生成部２３は、印刷設定画面Ｅを閉じて、基本設定画面Ａ及び画面Ｂ１の表示に戻る（ステップＳ２３３）。
【００９７】
尚、操作表示部２７の操作により印刷設定画面ＤのキャンセルボタンＳＢ５が選択指示されたならば（ステップＳ２３１で「Ｎｏ」、ステップＳ２３４で「Ｙｅｓ」）、印刷設定画面Ｅ上で設定された内容が全て消去されて、基本設定画面Ａ及び画面Ｂ１の表示に戻る（ステップＳ２３３）。
【００９８】
次に、基本設定画面Ａ上で、操作表示部２７の操作により他のアイコンが選択されると、設定画面生成部２３は、他のアイコンに対応する印刷設定画面を操作表示部２７の表示デバイスに表示する。この印刷設定画面上では、操作表示部２７の操作により機能の選択がなされる（ステップＳ２３５）。
【００９９】
同様に、他の各アイコンを順次選択して、該他の各アイコンに対応する印刷設定を逐次行うことができる。
【０１００】
この後、操作表示部２７のスタートキーが選択指示されると、設定画面生成部２３は、この印刷設定が終了したものと判定し（ステップＳ２３６で「Ｙｅｓ」）、この印刷設定の内容を印刷設定部２２に送出する。印刷設定部２２は、この印刷設定の内容を受け取ると、この印刷設定の内容を設定する。
【０１０１】
そして、印刷設定部２２により設定された全ての印刷設定の内容に従って、出力部２４で印刷データによって示される文字や画像を用紙に印刷する（ステップＳ２３７）。
【０１０２】
この様にマルチファンクションプリンター２でも、プリンタードライバー８と同様の印刷設定を行うことができる。
【０１０３】
尚、本発明は、上記実施形態に限定されるものではなく、多様に変形することができる。例えば、各給紙トレイのグラフィックの表示形態、用紙の表示形態、用紙の利用形態、あるいは給紙トレイの識別情報の表示形態を適宜に変更しても構わない。
【図面の簡単な説明】
【０１０４】
【図１】本発明の印刷設定装置を適用したシステムを示すブロック図である。
【図２】図１のプリンタードライバーによる印刷設定のための処理過程を示すフローチャートである。
【図３】図２に引き続く処理過程を示すフローチャートである。
【図４】各アイコンを表示した基本設定画面を示す図である。
【図５】各給紙トレイを表示した給紙トレイ画面を示す図である。
【図６】（ａ）及び（ｂ）は、カーボン印刷の印刷設定画面の遷移を示す図である。
【図７】（ａ）及び（ｂ）は、図６に引き続く印刷設定画面の遷移を示す図である。
【図８】（ａ）及び（ｂ）は、表表紙もしくは裏表紙を設定するための印刷設定画面の遷移を示す図である。
【図９】図８に引き続く印刷設定画面の遷移を示す図である。
【図１０】（ａ）及び（ｂ）は、ＯＨＰ用紙間への用紙挿入を設定するための印刷設定画面の遷移を示す図である。
【図１１】図１０に引き続く印刷設定画面の遷移を示す図である。
【図１２】図１のマルチファンクションプリンターによる印刷設定のための処理過程を示すフローチャートである。
【図１３】図１３に引き続く処理過程を示すフローチャートである。
【図１４】図１のマルチファンクションプリンターにおける画面を例示する図である。
【符号の説明】
【０１０５】
１  ホストコンピュータ
２  マルチファンクションプリンター
３  ＬＡＮ
４  主制御部
５、２７  操作表示部
６  画像編集部
７、２８  記憶部
８  プリンタードライバー
１１、２２  印刷設定部
１２、２３  設定画面生成部
１３  印刷データ生成部
１４、２６  通信部
２１  制御部
２４  出力部
２５  スキャナー部
【図１】
2007118374.tif 000003
【図２】
2007118374.tif 000004
【図３】
2007118374.tif 000005
【図４】
2007118374.tif 000006
【図５】
2007118374.tif 000007
【図６】
2007118374.tif 000008
【図７】
2007118374.tif 000009
【図８】
2007118374.tif 000010
【図９】
2007118374.tif 000011
【図１０】
2007118374.tif 000012
【図１１】
2007118374.tif 000013
【図１２】
2007118374.tif 000014
【図１３】
2007118374.tif 000015
【図１４】
2007118374.tif 000016